(57)【要約】【課題】釣り糸を簡単にワンタッチで連結可能な釣り糸連結具、釣り糸連結方法及び釣り用仕掛けを提供する。【解決手段】連結具本体２０を介して第一、第二の釣り糸４１、４２を連結する釣り糸連結具１０は、一端側に第一の釣り糸４１を連結する第一の連結部２２、他端側に第二の釣り糸４２を連結する第二の連結部２４を有する連結具本体２０と、両連結部２２、２４の少なくとも一方の周囲に配置される円筒体部材３０を備える。連結部２２、２４は、テーパ形状からなる。円筒体部材３０は、内径が連結部２２、２４の最大径部と略同径で、最大径部側になる端部に拡径部３１を備える。両連結部２２、２４の少なくとも一方と円筒体部材３０の間に、この連結部に対応する釣り糸を挟持して連結部と釣り糸とを連結し、円筒体部材３０が配置されていない連結部がある場合は、該円筒体部材が配置されない連結部に、対応する釣り糸を連結する。【選択図】図２
2011092132.tif 000002
【特許請求の範囲】
【請求項１】
複数の釣り糸を相互に連結する釣り糸連結具であって、
一端側に第一の釣り糸を連結する第一の連結部を有し他端側に第二の釣り糸を連結する第二の連結部を有する連結具本体と、前記第一及び前記第二の連結部のうち少なくとも一方の周囲に配置される円筒体部材と、を備え、
前記連結部は、前記連結具本体の端部側の所定の位置に設けられた最も太い最大径部から、該最大径部より前記端部の逆側に位置する最も細い最小径部までの部分が、断面略円形に形成されてなると共に、前記最大径部から前記最小径部にかけて、径が緩やかに小さくなるテーパ形状からなり、
前記円筒体部材は、内径が前記最大径部と略同径の略円筒体からなり、前記連結部の周囲に配置されたときに前記最大径部側に位置する端部に、前記内径が大きくなる拡径部を備え、
前記第一及び第二の連結部のうち少なくとも一方と前記円筒体部材との間に、前記少なくとも一方の連結部に対応する前記釣り糸を挟持して、前記少なくとも一方の連結部と前記対応する釣り糸とを連結し、前記円筒体部材が配置されない前記連結部がある場合には、該円筒体部材が配置されない前記連結部に、該円筒体部材が配置されない連結部に対応する前記釣り糸を連結することにより、前記連結具本体を介して前記第一の釣り糸と前記第二の釣り糸とを相互に連結することを特徴とする釣り糸連結具。
【請求項２】
前記第一の釣り糸は、幹糸であり、
前記第二の釣り糸は、金属線からなるハリスであり、
前記第一及び第二の連結部のうち少なくとも一方は、前記第二の連結部で、前記円筒体部材が配置されない連結部は、前記第一の連結部であり、
前記円筒体部材は、金属製であることを特徴とする請求項１記載の釣り糸連結具。
【請求項３】
前記第一の釣り糸は幹糸であり、
前記第二の釣り糸は、合成樹脂、天然繊維、合成繊維を含む群のうち少なくとも一つ以上の素材を主成分とする非金属系ハリス又は金属線からなるハリスであって、
前記第一及び第二の連結部のうち少なくとも一方は、前記第二の連結部で、前記円筒体部材が配置されない連結部は、前記第一の連結部であり、
前記円筒体部材は、合成樹脂製からなり、外側面に、前記円筒体部材の軸方向に延びる溝部を備え、該溝部は、前記円筒体部材の壁の周囲に捲回された前記ハリスのうち前記円筒体部材の外側に配置される部分を収納可能であることを特徴とする請求項１記載の釣り糸連結具。
【請求項４】
前記連結具本体は、折り曲げられていない直線状の棒状体又は前記第一の連結部と前記第二の連結部の間で折り曲げられた棒状体からなることを特徴とする請求項１記載の釣り糸連結具。
【請求項５】
一端側に幹糸を連結する第一の連結部を有し他端側に金属線ハリスを連結する第二の連結部を有する連結具本体を備えた釣り糸連結具を介して、前記幹糸と前記金属線ハリスを連結する釣り糸連結方法であって、
前記連結部は、前記連結具本体の端部側の所定の位置に設けられた最も太い最大径部から、該最大径部より前記端部の逆側に位置する最も細い最小径部までの部分が、断面略円形に形成されてなると共に、前記最大径部から前記最小径部にかけて、径が緩やかに小さくなるテーパ形状からなり、
前記第一の連結部に、前記幹糸を連結する幹糸連結工程と、
前記第二の連結部の前記最大径部と略同径の内径を有する円筒体部材に、前記連結具本体を挿入し、前記連結具本体のうち、前記円筒体部材の前記内径より細い径を有する位置の周囲に、前記円筒体部材を配置させる円筒体部材挿入工程と、
前記第二の連結部側の端部から、前記金属線ハリスを挿入し、前記連結具本体と前記円筒体部材の間隙に配置させるハリス挿入工程と、
前記金属線ハリスを前記円筒体部材と前記連結具本体との間に保持したまま、前記円筒体部材を、前記第二の連結部の前記最大径部側に移動させて、前記金属線ハリスを前記円筒体部材と前記第二の連結部との間に挟持させることにより前記連結具本体に連結する金属線ハリス連結工程と、を備えることを特徴とする釣り糸連結方法。
【請求項６】
前記円筒体部材挿入工程よりも前に、
先端側の針先部と、該針先部と連続して一体に設けられた後端側の針胴部と、該針胴部のうち、前記後端側の所定の位置に設けられた最も太い最大径部から、該最大径部より前記針先部側に位置する最も細い最小径部までの部分が、断面略円形に形成されると共に、前記最大径部から前記最小径部までにかけて、径が緩やかに小さくなるテーパ形状からなるテーパ部と、を備えた釣り針の前記針胴部を、前記円筒体部材に挿入し、前記針胴部のうち、前記円筒体部材の前記内径より細い径を有する位置の周囲に、前記円筒体部材を配置させる工程と、
前記後端から前記金属線ハリスを挿入し、前記円筒体部材と前記針胴部との間の間隙に配置させる工程と、
前記金属線ハリスを前記円筒体部材と前記針胴部との間に保持したまま、前記円筒体部材を、前記テーパ部の前記最大径部側へ移動させ、前記金属線ハリスを前記テーパ部と前記円筒体部材との間に挟持させることにより前記釣り針に前記金属線ハリスを連結する釣り針連結工程と、
を行い、
前記金属線ハリス連結工程の後に、前記金属線ハリスを前記円筒体部材と前記連結具本体との間に保持したまま、前記円筒体部材を前記最小径部側に移動して前記金属線ハリスと前記第二の連結部の間の連結状態を緩め、前記金属線ハリスを前記連結具本体の周方向で移動させることにより前記針先部が前記釣り用仕掛けの上方を向くように調整してから、再度、前記円筒体部材を、前記第二の連結部の前記最大径部側に移動させて固定することにより、前記釣り針の前記針先部の方向を修正する工程を行うことを特徴とする請求項５記載の釣り糸連結方法。
【請求項７】
一端側に幹糸を連結する第一の連結部を有し、他端側に、合成樹脂、天然繊維、合成繊維を含む群のうち少なくとも一つ以上の素材を主成分とする非金属系ハリスを連結する第二の連結部を有する連結具本体を備えた釣り糸連結具を介して、前記幹糸と前記非金属系ハリスを連結する釣り糸連結方法であって、
前記連結部は、前記連結具本体の端部側の所定の位置に設けられた最も太い最大径部から、該最大径部より前記端部の逆側に位置する最も細い最小径部までの部分が、断面略円形に形成されてなると共に、前記最大径部から前記最小径部にかけて、径が緩やかに小さくなるテーパ形状からなり、
前記第一の連結部に、前記幹糸を連結する幹糸連結工程と、
前記第二の連結部の前記最大径部と略同径の内径を有する円筒体部材に、前記連結具本体を挿入し、前記連結具本体のうち、前記円筒体部材の前記内径より細い径を有する位置の周囲に、前記円筒体部材を配置させる円筒体部材挿入工程と、
前記第二の連結部側の端部から、前記非金属系ハリスを挿入し、前記連結具本体と前記円筒体部材の間隙に配置させるハリス挿入工程と、
前記連結具本体と前記円筒体部材の間隙を通った前記非金属系ハリスを、少なくとも更に一回、前記第二の連結部側の端部から挿入して、前記円筒体部材の壁の周囲を前記円筒体部材の軸方向に捲回させ、前記非金属系ハリスのうち前記円筒体部材の壁の外側に配置される部分を、前記円筒体部材の外側面に前記円筒体部材の軸方向に延びるよう刻設された溝部内に収納する工程と、
前記非金属系ハリスを、前記円筒体部材と前記連結具本体との間及び前記溝部内に保持したまま、前記円筒体部材を、前記第二の連結部の前記最大径部側に移動させて、前記非金属系ハリスを前記円筒体部材と前記第二の連結部との間に挟持させることにより前記連結具本体に連結する非金属系ハリス連結工程と、を備えることを特徴とする釣り糸連結方法。
【請求項８】
前記円筒体部材挿入工程よりも前に、釣り針に前記非金属系ハリスを連結する工程を行い、
前記非金属系ハリス連結工程の後に、前記非金属系ハリスを前記円筒体部材と前記連結具本体との間及び前記溝部内に保持したまま、前記円筒体部材を前記最小径部側に移動して前記非金属系ハリスと前記第二の連結部の間の連結状態を緩め、前記非金属系ハリスを前記連結具本体の周方向で移動させることにより、前記釣り針の針先部が前記釣り用仕掛けの上方を向くように調整してから、再度、前記円筒体部材を、前記第二の連結部の前記最大径部側に移動させて固定することにより、前記針先部の方向を修正する工程を行うことを特徴とする請求項７記載の釣り糸連結方法。
【請求項９】
幹糸と、該幹糸に釣り糸連結具を介して端部が連結されたハリスと、を備えた釣り用仕掛けであって、
前記釣り糸連結具は、一端側に前記幹糸を連結する第一の連結部を有し他端側に前記ハリスを連結する第二の連結部を有する連結具本体と、前記第一及び前記第二の連結部のうち少なくとも一方の周囲に配置される円筒体部材と、を備え、
前記連結部は、前記連結具本体の端部側の所定の位置に設けられた最も太い最大径部から、該最大径部より前記端部の逆側に位置する最も細い最小径部までの部分が、断面略円形に形成されると共に、前記最大径部から前記最小径部にかけて、径が緩やかに小さくなるテーパ形状からなり、
前記円筒体部材は、内径が前記最大径部と略同径の略円筒体からなり、前記連結部の周囲に配置されたときに前記最大径部側に位置する端部に、前記内径が大きくなる拡径部を備え、
前記第一及び第二の連結部のうち少なくとも一方と前記円筒体部材との間に、前記少なくとも一方の前記連結部に対応する前記幹糸又は前記ハリスが挟持されることにより、前記少なくとも一方の連結部と前記対応する前記幹糸又は前記ハリスが連結され、前記円筒体部材が配置されていない前記連結部がある場合には、該円筒体部材が配置されない前記連結部に、該円筒体部材が配置されない連結部に対応する前記幹糸又は前記ハリスが連結されていることにより、前記連結具本体を介して前記幹糸と前記ハリスとが連結されていることを特徴とする釣り用仕掛け。
【請求項１０】
前記ハリスに連結された釣り針を更に備え、
前記ハリスは、金属線からなり、
前記釣り針は、先端側の針先部と、該針先部と連続して一体に設けられた後端側の針胴部と、該針胴部のうち、前記後端側の所定の位置に設けられた最も太い最大径部から、該最大径部より前記針先部側に位置する最も細い最小径部までの部分が、断面略円形に形成されると共に、前記最大径部から前記最小径部にかけて、径が緩やかに小さくなるテーパ形状からなるテーパ部と、を備え、
前記釣り針は、前記テーパ部と、内径が前記最大径部と略同径の略円筒体からなる前記円筒体部材との間に、前記金属線が挟持されることにより、前記金属線に連結されていることを特徴とする請求項９に記載の釣り用仕掛け。
【発明の詳細な説明】
【技術分野】
【０００１】
本発明は釣り糸連結具、釣り糸連結方法及び釣り用仕掛けに係り、特に簡単に幹糸とハリスを連結可能で、釣り針の針先方向を簡単に調整可能な釣り糸連結具、釣り糸連結方法及び釣り用仕掛けに関する。
【背景技術】
【０００２】
図１３に示す釣り具が広く用いられている。この釣り具は、釣り竿８に仕掛けが取付けられたもので、この仕掛けは、道糸１の先にサルカン６を介して幹糸２を連結し、幹糸２に分岐するようにハリス３を結び付け、ハリス３の先に釣り針５を結び付けたものである。このような仕掛けにおいて、幹糸２とハリス３とを結びつける作業には時間がかかるため、幹糸２とハリス３とを容易に接続可能な連結具が知られている（例えば、特許文献１参照）。
【０００３】
特許文献１には、図１４の連結具が開示されている。この連結具は、金属線１０１を二つに折り重ねてその両側辺１０２、１０３の基端個所にハリス１０４の挟み止め部１０５を、両側辺１０２、１０３の中間個所を半円形状に曲げ出してハリス１０４の導入口１０６を、先端個所を半円形状に曲げ出して幹糸１０７への環状取付け部１０８をそれぞれ設けることによって自動ハリス止部材１０９を構成し、またこれとは別個に透明硬質合成樹脂材料を以てビーズ１１０を上記自動ハリス止部材１０９の環状取付け部１０８がインサートされ他が外に出された状態で成形し、このビーズ１１０に環状取付け部１０８の中を通る幹糸通し用立向き孔１１１を貫設したものである。
幹糸通し用立向き孔１１１に幹糸１０７を通してからその上下に結び玉１１３、１１４を作ってビーズ１１０の上下移動を阻止すると共に、予め端部側に結び目１１２を作ったハリス１０４を導入口１０６に挿通してから挟み止め部１０５の方へ引き、ずらして挟み状態とすることにより、幹糸１０７にハリス１０４を取付ける。ハリス１０４が釣り針１１５側へ引かれると、ハリス１０４は釣り針１１５の方向へスライドし、結び目１１２が両側辺１０２、１０３で係止するように構成されている。
この特許文献１に記載された発明によれば、連結具を取付けた幹糸１０７へのハリス１０４の連結、交換がワンタッチでできるという効果を奏する。
【先行技術文献】
【特許文献】
【０００４】
【特許文献１】特開平２００１−１９７８５４号公報（段落０００５、図１）
【発明の概要】
【発明が解決しようとする課題】
【０００５】
しかし、特許文献１に係る連結具によれば、使用できるハリス１０４の太さが両側辺１０２、１０３間の間隔に制限され、使用できるハリス１０４の太さの範囲が非常に狭いという問題点があった。更に、ハリス１０４が両側辺１０２、１０３に挟まれた状態でスライドするため、スライドしたときにハリス１０４が両側辺１０２、１０３にしごかれて縮れ、ハリス１０４の強度が弱まるという問題点もあった。更に、予め図１４のように釣り針１１５の針先を真上に向けても、ハリス１０４がしごかれて縮れることにより、釣り針１１５の針先方向が変わってしまい、針先を所望の方向に向けることが困難であるという問題点もあった。
また、そもそも、特許文献１に代表されるワンタッチで釣り糸を連結可能な従来の連結具において、金属線からなるハリスを連結可能なものは知られていない。
【０００６】
本発明は、上記事情に鑑みてなされたものであって、その目的は、複数の釣り糸を簡単にワンタッチで相互に連結可能な釣り糸連結具、釣り糸連結方法及び釣り用仕掛けを提供することにある。
また、本発明の他の目的は、幹糸に金属線ハリスを簡単にワンタッチで連結可能な釣り糸連結具、釣り糸連結方法及び釣り用仕掛けを提供することにある。
本発明の更に他の目的は、幹糸にハリスを簡単にワンタッチで連結できると共にハリスの交換が簡単で、ハリスの先端の釣り針の向きを所定の方向に固定可能な釣り糸連結具、釣り糸連結方法及び釣り用仕掛けを提供することにある。
【課題を解決するための手段】
【０００７】
前記課題は、請求項１に係る釣り糸連結具によれば、複数の釣り糸を相互に連結する釣り糸連結具であって、一端側に第一の釣り糸を連結する第一の連結部を有し他端側に第二の釣り糸を連結する第二の連結部を有する連結具本体と、前記第一及び前記第二の連結部のうち少なくとも一方の周囲に配置される円筒体部材と、を備え、前記連結部は、前記連結具本体の端部側の所定の位置に設けられた最も太い最大径部から、該最大径部より前記端部の逆側に位置する最も細い最小径部までの部分が、断面略円形に形成されてなると共に、前記最大径部から前記最小径部にかけて、径が緩やかに小さくなるテーパ形状からなり、前記円筒体部材は、内径が前記最大径部と略同径の略円筒体からなり、前記連結部の周囲に配置されたときに前記最大径部側に位置する端部に、前記内径が大きくなる拡径部を備え、前記第一及び第二の連結部のうち少なくとも一方と前記円筒体部材との間に、前記少なくとも一方の連結部に対応する前記釣り糸を挟持して、前記少なくとも一方の連結部と前記対応する釣り糸とを連結し、前記円筒体部材が配置されない前記連結部がある場合には、該円筒体部材が配置されない前記連結部に、該円筒体部材が配置されない連結部に対応する前記釣り糸を連結することにより、前記連結具本体を介して前記第一の釣り糸と前記第二の釣り糸とを相互に連結すること、により解決される。
【０００８】
このように構成しているため、第一の釣り糸と第二の釣り糸とをワンタッチで簡単に連結可能となる。
また、前記第一及び第二の連結部のうち少なくとも一方と前記円筒体部材との間に、前記少なくとも一方の連結部に対応する前記釣り糸を挟持して、前記少なくとも一方の連結部と前記対応する釣り糸とを連結可能にするため、連結部と釣り糸との間の連結状態を簡単に解除することができ、釣り糸の交換を迅速かつ簡単に行うことができる。従って、釣り場で釣り糸を簡単に交換可能となる。
【０００９】
また、前記円筒体部材は、前記連結部の周囲に配置されたときに前記最大径部側に位置する端部に、前記内径が大きくなる拡径部を備えているため、円筒体部材と連結部との間に釣り糸を挿入する際の作業性が向上する。また、円筒体部材を連結部の周囲に配置したときに、円筒体部材の拡径部が連結具本体の連結部のテーパ形状と同じ方向に広がるため、拡径部と連結部との間で釣り糸を挟み込むことができ、釣り糸と連結部、円筒体部材の内壁との接触面が増えて、釣り糸をより強固に連結具本体に固定可能となる。
【００１０】
また、前記第一の釣り糸は、幹糸であり、前記第二の釣り糸は、金属線からなるハリスであり、前記第一及び第二の連結部のうち少なくとも一方は、前記第二の連結部で、前記円筒体部材が配置されない連結部は、前記第一の連結部であり、前記円筒体部材は、金属製であるように構成してもよい。
このように構成することにより、従来不可能であった金属線ハリスの迅速、簡単なワンタッチでの連結及び釣り場での金属線ハリスの迅速、簡単なワンタッチでの交換が可能となる。
テーパ形状の連結部と円筒体部材との間に金属線ハリスを挟持する構造のため、金属線ハリスが軸を中心として回動することがなく、金属線ハリス先端に、鉤振りしないように釣り針が固定されていれば、金属線ハリス先端の釣り針の針先の向きを簡単に固定できる。
また、本発明によれば、金属線ハリス先端の釣り針の針先の向きを簡単に固定でき、かつ、釣り場での金属線ハリスのワンタッチでの交換が可能であることから、例えば、魚の歯が非常に強く釣り針を頻繁に変える必要があり、かつ魚が餌を口に入れたときの反応が小さいため硬くて腰の強い釣り糸を用いる必要のあるカワハギ釣り等において、金属線ハリスを使用するという新しい釣り方が可能となる。
【００１１】
さらに、前記第一の釣り糸は幹糸であり、前記第二の釣り糸は、合成樹脂、天然繊維、合成繊維を含む群のうち少なくとも一つ以上の素材を主成分とする非金属系ハリス又は金属線からなるハリスであって、前記第一及び第二の連結部のうち少なくとも一方は、前記第二の連結部で、前記円筒体部材が配置されない連結部は、前記第一の連結部であり、前記円筒体部材は、合成樹脂製からなり、外側面に、前記円筒体部材の軸方向に延びる溝部を備え、該溝部は、前記円筒体部材の壁の周囲に捲回された前記ハリスのうち前記円筒体部材の外側に配置される部分を収納可能であるように構成してもよい。
金属のような硬質素材からなる円筒体部材を用いた場合は、強い力がかかったときに円筒体部材と連結具本体との間から非金属系ハリスがすり抜けてしまい、強固な連結力を得ることができないが、本発明では、円筒体部材が合成樹脂製からなるため、非金属系ハリスを、本発明の釣り糸連結具で連結することが可能となる。また、円筒体部材が、外側面に、前記円筒体部材の軸方向に延びる溝部を備え、該溝部は、前記円筒体部材の壁の周囲に捲回された前記ハリスの前記円筒体部材の外側に配置される部分を収納可能に構成しているので、非金属系ハリスを、円筒体部材の壁に捲回して、円筒体部材の外側に配置される部分を溝部に収納することにより、非金属系ハリスを第二の連結部に強固に固定することが可能となる。
また、円筒体部材が外側面に溝部を備えているため、円筒体部材を連結部の周囲に配置するときに指が円筒体部材外側面で滑ることを防止できる。更に、溝部は、ハリス先端の釣り針の針先の向きを修正するときに、ハリス及び円筒体部材の移動角度を確認する目印となる。
【００１２】
前記連結具本体は、折り曲げられていない直線状の棒状体又は前記第一の連結部と前記第二の連結部の間で折り曲げられた棒状体からなるように構成してもよい。
このように構成しているので、例えば、第一の釣り糸が幹糸、第二の釣り糸がハリスである場合に、ハリスが短かければ、折り曲げられた棒状体として釣り針を幹糸から遠ざけ、ハリスが長ければ、直線状の棒状体として糸の絡みを防止するなど、ハリスの長さに応じて使いやすい仕掛けとすることができる。
【００１３】
前記課題は、請求項５に係る釣り糸連結方法によれば、一端側に幹糸を連結する第一の連結部を有し他端側に金属線ハリスを連結する第二の連結部を有する連結具本体を備えた釣り糸連結具を介して、前記幹糸と前記金属線ハリスを連結する釣り糸連結方法であって、前記連結部は、前記連結具本体の端部側の所定の位置に設けられた最も太い最大径部から、該最大径部より前記端部の逆側に位置する最も細い最小径部までの部分が、断面略円形に形成されてなると共に、前記最大径部から前記最小径部にかけて、径が緩やかに小さくなるテーパ形状からなり、前記第一の連結部に、前記幹糸を連結する幹糸連結工程と、前記第二の連結部の前記最大径部と略同径の内径を有する円筒体部材に、前記連結具本体を挿入し、前記連結具本体のうち、前記円筒体部材の前記内径より細い径を有する位置の周囲に、前記円筒体部材を配置させる円筒体部材挿入工程と、前記第二の連結部側の端部から、前記金属線ハリスを挿入し、前記連結具本体と前記円筒体部材の間隙に配置させるハリス挿入工程と、前記金属線ハリスを前記円筒体部材と前記連結具本体との間に保持したまま、前記円筒体部材を、前記第二の連結部の前記最大径部側に移動させて、前記金属線ハリスを前記円筒体部材と前記第二の連結部との間に挟持させることにより前記連結具本体に連結する金属線ハリス連結工程と、を備えること、により解決される。
【００１４】
このように構成しているため、従来不可能であった金属線ハリスの迅速、簡単なワンタッチでの連結及び釣り場での金属線ハリスの迅速、簡単なワンタッチでの交換が可能となる。
また、前記金属線ハリスを前記円筒体部材と前記連結具本体との間に保持したまま、前記円筒体部材を、前記第二の連結部の前記最大径部側に移動させて、前記金属線ハリスを前記円筒体部材と前記第二の連結部との間に挟持させることにより前記連結具本体に連結する金属線ハリス連結工程を備えているため、第二の連結部と金属線ハリスとの間の連結状態を簡単に解除することができ、金属線ハリスの交換を迅速かつ簡単に行うことができる。従って、釣り場で金属線ハリスを簡単に交換可能となる。
テーパ形状の連結部と円筒体部材との間に金属線ハリスを挟持する構造のため、金属線ハリスが軸を中心として回動することがなく、金属線ハリス先端に、鉤振りしないように釣り針が固定されていれば、金属線ハリス先端の釣り針の針先の向きを簡単に固定できる。
また、第二の連結部と金属線ハリスとの間の連結状態を簡単に解除できるため、金属線ハリスの先に連結された釣り針の針先の向きを簡単に修正することができる。
また、本発明によれば、金属線ハリス先端の釣り針の針先の向きを簡単に固定でき、かつ、釣り場での金属線ハリスのワンタッチでの交換が可能であることから、例えば、魚の歯が非常に強く釣り針を頻繁に変える必要があり、かつ魚が餌を口に入れたときの反応が小さいため硬くて腰の強い釣り糸を用いる必要のあるカワハギ釣り等において、金属線ハリスを使用するという新しい釣り方が可能となる。
【００１５】
また、前記円筒体部材挿入工程よりも前に、先端側の針先部と、該針先部と連続して一体に設けられた後端側の針胴部と、該針胴部のうち、前記後端側の所定の位置に設けられた最も太い最大径部から、該最大径部より前記針先部側に位置する最も細い最小径部までの部分が、断面略円形に形成されると共に、前記最大径部から前記最小径部までにかけて、径が緩やかに小さくなるテーパ形状からなるテーパ部と、を備えた釣り針の前記針胴部を、前記円筒体部材に挿入し、前記針胴部のうち、前記円筒体部材の前記内径より細い径を有する位置の周囲に、前記円筒体部材を配置させる工程と、前記後端から前記金属線ハリスを挿入し、前記円筒体部材と前記針胴部との間の間隙に配置させる工程と、前記金属線ハリスを前記円筒体部材と前記針胴部との間に保持したまま、前記円筒体部材を、前記テーパ部の前記最大径部側へ移動させ、前記金属線ハリスを前記テーパ部と前記円筒体部材との間に挟持させることにより前記釣り針に前記金属線ハリスを連結する釣り針連結工程と、を行い、前記金属線ハリス連結工程の後に、前記金属線ハリスを前記円筒体部材と前記連結具本体との間に保持したまま、前記円筒体部材を前記最小径部側に移動して前記金属線ハリスと前記第二の連結部の間の連結状態を緩め、前記金属線ハリスを前記連結具本体の周方向で移動させることにより前記針先部が前記釣り用仕掛けの上方を向くように調整してから、再度、前記円筒体部材を、前記第二の連結部の前記最大径部側に移動させて固定することにより、前記釣り針の前記針先部の方向を修正する工程を行うように構成してもよい。
このように構成しているので、釣り針に金属線ハリスを迅速、簡単にワンタッチで連結できる。また、予め釣り針と金属線ハリスを連結しておき、釣り場に移動してから釣り針付きの金属線ハリスを連結具本体を用いて幹糸に連結することが可能となる。その結果、完成した仕掛けの状態で持ち運びすることが難しい金属線ハリスの仕掛けについて、釣り針と金属線ハリスの連結のみ行っておき、釣り場で仕掛けを完成できるので、金属線ハリスの仕掛けの利用範囲が広がる。
また、金属線ハリス連結工程の後に、釣り針の針先部の方向を修正する工程を行うため、釣り針の針先部の方向を決めながら釣り針をハリスに連結する場合と異なり、確実に釣り針の針先部を所望の方向に向けることが可能となる。釣り針の針先部の方向は、釣果に影響を及ぼす重大な要素であることから、結果として釣果の向上につなげることが可能となる。
【００１６】
前記課題は、請求項７に係る釣り糸連結方法によれば、一端側に幹糸を連結する第一の連結部を有し、他端側に、合成樹脂、天然繊維、合成繊維を含む群のうち少なくとも一つ以上の素材を主成分とし径方向に弾性を有する非金属系ハリスを連結する第二の連結部を有する連結具本体を備えた釣り糸連結具を介して、前記幹糸と前記非金属系ハリスを連結する釣り糸連結方法であって、前記連結部は、前記連結具本体の端部側の所定の位置に設けられた最も太い最大径部から、該最大径部より前記端部の逆側に位置する最も細い最小径部までの部分が、断面略円形に形成されてなると共に、前記最大径部から前記最小径部にかけて、径が緩やかに小さくなるテーパ形状からなり、前記第一の連結部に、前記幹糸を連結する幹糸連結工程と、前記第二の連結部の前記最大径部と略同径の内径を有する円筒体部材に、前記連結具本体を挿入し、前記連結具本体のうち、前記円筒体部材の前記内径より細い径を有する位置の周囲に、前記円筒体部材を配置させる円筒体部材挿入工程と、前記第二の連結部側の端部から、前記非金属系ハリスを挿入し、前記連結具本体と前記円筒体部材の間隙に配置させるハリス挿入工程と、前記連結具本体と前記円筒体部材の間隙を通った前記非金属系ハリスを、少なくとも更に一回、前記第二の連結部側の端部から挿入して、前記円筒体部材の壁の周囲を前記円筒体部材の軸方向に捲回させ、前記非金属系ハリスのうち前記円筒体部材の壁の外側に配置される部分を、前記円筒体部材の外側面に前記円筒体部材の軸方向に延びるよう刻設された溝部内に収納する工程と、前記非金属系ハリスを、前記円筒体部材と前記連結具本体との間及び前記溝部内に保持したまま、前記円筒体部材を、前記第二の連結部の前記最大径部側に移動させて、前記非金属系ハリスを前記円筒体部材と前記第二の連結部との間に挟持させることにより前記連結具本体に連結する非金属系ハリス連結工程と、を備えること、により解決される。
【００１７】
このように構成しているため、非金属系ハリスの迅速、簡単なワンタッチでの連結及び釣り場での非金属系ハリスの迅速、簡単なワンタッチでの交換が可能となる。
また、前記非金属系ハリスを、前記円筒体部材と前記連結具本体との間及び前記溝部内に保持したまま、前記円筒体部材を、前記第二の連結部の前記最大径部側に移動させて、前記非金属系ハリスを前記円筒体部材と前記第二の連結部との間に挟持させることにより前記連結具本体に連結する非金属系ハリス連結工程を備えているため、第二の連結部と非金属系ハリスとの間の連結状態を簡単に解除することができ、非金属系ハリスの交換を迅速かつ簡単に行うことができる。従って、釣り場で非金属系ハリスを簡単に交換可能となる。
テーパ形状の連結部と円筒体部材との間に非金属系ハリスを挟持する構造のため、非金属系ハリスが軸を中心として回動することがなく、非金属系ハリス先端に、鉤振りしないように釣り針が固定されていれば、非金属系ハリス先端の釣り針の針先の向きを簡単に固定できる。
また、第二の連結部と非金属系ハリスとの間の連結状態を簡単に解除できるため、非金属系ハリスの先に連結された釣り針の針先の向きを簡単に修正できる。
【００１８】
また、前記円筒体部材挿入工程よりも前に、釣り針に前記非金属系ハリスを連結する工程を行い、前記非金属系ハリス連結工程の後に、前記非金属系ハリスを前記円筒体部材と前記連結具本体との間及び前記溝部内に保持したまま、前記円筒体部材を前記最小径部側に移動して前記非金属系ハリスと前記第二の連結部の間の連結状態を緩め、前記非金属系ハリスを前記連結具本体の周方向で移動させることにより、前記釣り針の針先部が前記釣り用仕掛けの上方を向くように調整してから、再度、前記円筒体部材を、前記第二の連結部の前記最大径部側に移動させて固定することにより、前記針先部の方向を修正する工程を行うように構成してもよい。
このように構成しているので、釣り針に非金属系ハリスを迅速、簡単にワンタッチで連結できる。また、予め釣り針と非金属系ハリスに連結しておき、釣り場に移動してから釣り針付きの非金属系ハリスを連結具本体を用いて幹糸に連結することが可能となる。
また、非金属系ハリス連結工程の後に、釣り針の針先部の方向を修正する工程を行うため、釣り針の針先部の方向を決めながら釣り針をハリスに連結する場合と異なり、確実に釣り針の針先部を所望の方向に向けることが可能となる。釣り針の針先部の方向は、釣果に影響を及ぼす重大な要素であることから、結果として釣果の向上につなげることが可能となる。
【００１９】
前記課題は、請求項９に係る釣り用仕掛けによれば、幹糸と、該幹糸に釣り糸連結具を介して端部が連結されたハリスと、を備えた釣り用仕掛けであって、前記釣り糸連結具は、一端側に前記幹糸を連結する第一の連結部を有し他端側に前記ハリスを連結する第二の連結部を有する連結具本体と、前記第一及び前記第二の連結部のうち少なくとも一方の周囲に配置される円筒体部材と、を備え、前記連結部は、前記連結具本体の端部側の所定の位置に設けられた最も太い最大径部から、該最大径部より前記端部の逆側に位置する最も細い最小径部までの部分が、断面略円形に形成されると共に、前記最大径部から前記最小径部にかけて、径が緩やかに小さくなるテーパ形状からなり、前記円筒体部材は、内径が前記最大径部と略同径の略円筒体からなり、前記連結部の周囲に配置されたときに前記最大径部側に位置する端部に、前記内径が大きくなる拡径部を備え、前記第一及び第二の連結部のうち少なくとも一方と前記円筒体部材との間に、前記少なくとも一方の前記連結部に対応する前記幹糸又は前記ハリスが挟持されることにより、前記少なくとも一方の連結部と前記対応する前記幹糸又は前記ハリスが連結され、前記円筒体部材が配置されていない前記連結部がある場合には、該円筒体部材が配置されない前記連結部に、該円筒体部材が配置されない連結部に対応する前記幹糸又は前記ハリスが連結されていることにより、前記連結具本体を介して前記幹糸と前記ハリスとが連結されていること、により解決される。
【００２０】
また、前記ハリスに連結された釣り針を更に備え、前記ハリスは、金属線からなり、前記釣り針は、先端側の針先部と、該針先部と連続して一体に設けられた後端側の針胴部と、該針胴部のうち、前記後端側の所定の位置に設けられた最も太い最大径部から、該最大径部より前記針先部側に位置する最も細い最小径部までの部分が、断面略円形に形成されると共に、前記最大径部から前記最小径部にかけて、径が緩やかに小さくなるテーパ形状からなるテーパ部と、を備え、前記釣り針は、前記テーパ部と、内径が前記最大径部と略同径の略円筒体からなる前記円筒体部材との間に、前記金属線が挟持されることにより、前記金属線に連結されているように構成してもよい。
【発明の効果】
【００２１】
本発明によれば、第一の釣り糸と第二の釣り糸とをワンタッチで簡単に連結可能となる。
また、前記第一及び第二の連結部のうち少なくとも一方と前記円筒体部材との間に、前記少なくとも一方の連結部に対応する前記釣り糸を挟持して、前記少なくとも一方の連結部と前記対応する釣り糸とを連結可能にするため、連結部と釣り糸との間の連結状態を簡単に解除することができ、釣り糸の交換を迅速かつ簡単に行うことができる。従って、釣り場で釣り糸を簡単に交換可能となる。また、連結部と釣り糸との間の連結状態を簡単に解除できるため、例えば、本発明の釣り糸連結具を幹糸とハリスに用いた場合は、ハリスの先に連結された釣り針の針先の向きを簡単に修正することができる。
【図面の簡単な説明】
【００２２】
【図１】本発明の一実施形態の釣り用仕掛けを用いた釣り具を示す説明図である。
【図２】本発明の一実施形態の釣り用仕掛けの説明図である。
【図３】本発明の一実施形態の連結具本体およびスリーブを示す説明図である。
【図４】本発明の一実施形態の釣り針に金属線ハリスを連結する手順を示す説明図である。
【図５】本発明の一実施形態の連結具本体により金属線幹糸と金属線ハリスを連結する手順を示す説明図である。
【図６】本発明の他の実施形態の連結具本体を示す説明図である。
【図７】（Ａ）は、本発明の更に他の実施形態のビーズの側面図、（Ｂ）は、（Ａ）におけるＡ−Ａ断面図である。
【図８】ビーズと連結具本体による非金属系幹糸と金属線ハリスの連結を示す説明図である。
【図９】ビーズと連結具本体による非金属系幹糸と非金属系ハリスの連結を示す説明図である。
【図１０】本発明のまた更に他の実施形態による幹糸と非金属系ハリスの連結を示す説明図である。
【図１１】ビーズが埋設されたイカ角を示す説明図である。
【図１２】連結具本体を天秤として用いた例を示す説明図である。
【図１３】一般的な釣り用の仕掛けを示す説明図である。
【図１４】従来の釣糸の連結具を示す説明図である。
【発明を実施するための形態】
【００２３】
以下、本発明の実施形態について、図を参照して説明する。なお、以下に説明する部材、配置等は、本発明を限定するものではなく、本発明の趣旨に沿って各種改変することができることは勿論である。
本明細書中において、「テーパ状」とは、軸体の特定部分が、一端側の太さよりも他端側の太さが細くなっていることをいう。この「テーパ状」に形成される軸体は、特定部分の一端側の太さよりも他端側の太さが細くなっていれば良く、断面が円、楕円、矩形、その他の多角形等、いずれの形状となっていてもよい。例えば、断面が矩形の場合には、上下側の幅が一定で、左右側の幅が、一端側よりも他端側が大きくなるように構成されていてもよいし、上下側の幅、左右側の幅の双方が、一端側よりも他端側が大きくなるように構成されていてもよい。また、上下側の幅が、一端側よりも他端側が大きくなるように構成され、左右側の幅が、一端側よりも他端側が小さくなるように形成されているが、断面の周が、全体として一端側よりも他端側が小さくなるように形成されていてもよい。
また、本明細書中において、「非金属系釣り糸」とは、ナイロンライン、フロロカーボンライン、ＰＥライン、フロロナイロンライン、ポリエステルライン等を含む合成樹脂系釣り糸、天然又は合成繊維釣り糸等をいうが、金属を全く含まないことを意味するものではなく、合成樹脂系釣り糸、天然又は合成繊維釣り糸等に特有の弾力性を有する合成樹脂、天然繊維、合成繊維等を主成分とする釣り糸全般をいい、性質改善等のために金属を含んでいてもよい。
【００２４】
本実施形態の釣り用仕掛けＳは、図１に示す釣り具に用いられるもので、図２に示すように、金属線幹糸４１と、金属線幹糸４１に連結される一又は複数の釣り糸連結具１０（以下、連結具１０とする）と、金属線幹糸４１に各連結具１０を介して連結される金属線ハリス４２と、各金属線ハリス４２の先端に連結される釣り針５０と、から構成される。
金属線幹糸４１及び金属線ハリス４２は、金属線からなる幹糸及びハリスである。「金属線」とは、釣り用の金属製テグスをいい、ピアノ線、タングステン線、針金、Ｎｉ−Ｔｉに代表される超弾性線などの金属線又は金属撚り線、これらの金属線又は金属撚り線であって金属コーティングや樹脂コーティングが施されたもの等を含む。
【００２５】
連結具１０は、金属線幹糸４１及び金属線ハリス４２の連結に使用されるもので、図２又は図３の連結具本体２０と、円筒体部材としての一対のスリーブ３０とからなる。
連結具本体２０は、ピアノ線やばね用ステンレス鋼線、りん青銅線等のばね材、アルミニウム等からなり、ある程度の弾性を備えた金属製の略円柱棒状体である。浮きを使うフナ等の小型魚の釣り用仕掛けＳを製作する場合に、連結具本体２０をアルミニウムで構成すると好適である。
連結具本体２０は、図２、図３に示すように、断面が円からなり、軸方向の中央が細くなった形状をしており、軸方向の中央に、径の小さい細径部２１を、軸方向一端２３側に、第一の釣り糸である金属線幹糸４１を連結する第一の連結部としての第一のテーパ部２２を、軸方向他端２５側に、第二の釣り糸である金属線ハリス４２を連結する第二の連結部としての第二のテーパ部２４を備えている。
【００２６】
第一のテーパ部２２は、金属線幹糸４１が連結される領域であって、細径部２１側の最も細い最小径部２２ａと、一端２３側の最も太い最大径部２２ｂとの間の領域であり、最小径部２２ａから最大径部２２ｂに向かって一定の勾配で径が大きくなる斜辺が直線状のテーパに形成されている。なお第一のテーパ部２２を、一定の勾配でなく、斜辺が２次方程式等で表される凸又は凹の曲線になるようにしてもよい。
【００２７】
第一のテーパ部２２の勾配は、本実施形態の連結具１０による金属線幹糸４１と連結具本体２０の連結の強度を決定する重要な要素であり、最大径部２２ｂの径と最小径部２２ａの径との差は、金属線幹糸４１の径の１．２倍以上で、２．０倍未満である。
差が金属線幹糸４１の径の１．２倍よりも小さくなると、金属線幹糸４１を最小径部２２ａ又は細径部２１とスリーブ３０との間に挿入しにくく、作業性が悪くなる。また、差が、金属線幹糸４１の径の２．０倍以上である場合、金属線幹糸４１とスリーブ３０、テーパ部２２との間に緩みが生じ、十分な連結強度が得られなくなる。
【００２８】
金属線幹糸４１の太さは、様々であるが、ここでいう金属線幹糸４１の直径は、連結具本体２０との連結に使用される金属線幹糸４１の直径をいう。連結具本体２０の大きさ、金属線幹糸４１の太さは、釣る魚に合わせて選定されるため、所定の連結具本体２０に対して使用される金属線幹糸４１の太さは、ある程度決まってくるのである。
具体的には、金属線幹糸４１として０．２ｍｍ〜０．４ｍｍ程度のものを用いるのが一般的である。
【００２９】
本実施形態では、最大径部２２ｂは、連結具本体２０の一端２３から所定距離、例えば、１〜２ｍｍ程度内側の位置であって、最小径部２２ａより金属線幹糸４１所定本数分、例えば金属線幹糸４１約１０〜１８本分一端２３側の位置をいう。
最大径部２２ｂを連結具本体２０の一端２３から所定距離内側の位置としたため、一端２３よりも最大径部２２ｂの径が太くなり、一端２３から最大径部２２ｂにかけて角のない丸みを帯びた形状とすることができ、金属線幹糸４１が一端２３に擦れて切れることを防止できる。
【００３０】
このように、テーパ部２２の最大径部２２ｂの径と最小径部２２ａの径との差は、金属線幹糸４１の径の１．２倍以上で、２．０倍未満であり、かつ、最大径部２２ｂは、最小径部２２ａより金属線幹糸４１所定本数分、例えば金属線幹糸４１約１０〜１８本分の位置にあって、テーパ部２２が、最小径部２２ａから最大径部２２ｂにかけて、径が緩やかに大きくなっているので、本体部３２の全長に亘って内径が同径に構成されたスリーブ３０内に、安定して係止可能となる。
【００３１】
図３に示すように、スリーブ３０は、銅、アルミニウム（染色アルミ）、真鍮、ニッケル、鉄等の金属製の略円筒体からなり、軸方向の一端に形成された拡径部３１と、拡径部３１以外の本体部３２を備える。例えば、釣り具として一般に取引されている汎用的な銅製のワイヤハリス結束用スリーブの一端を広げて拡径部３１を構成したものを用いることができる。スリーブ３０の厚み及びスリーブ３０を形成する金属の組成は、魚が釣り針にかかったときにかかる力により変形する程度のものとして構成される。
特別大魚に適用される場合を除き、スリーブ３０の壁の厚みは、約０．３〜０．４ｍｍ、スリーブ３０の長さは３〜６ｍｍ、好ましくは３ｍｍ程度に設定される。スリーブ３０の長さが６ｍｍより長くなると、連結具１０全体の大きさが大きくなる。また、スリーブ３０の長さが３ｍｍより短くなると、金属線幹糸４１の保持力が弱くなり、また、スリーブ３０の変形や裂けが発生する虞が生じる。
【００３２】
拡径部３１は、スリーブ３０が連結具本体２０の第一のテーパ部２２に装着されたときに一端２３側に配置される端部に設けられ、スリーブ３０の内径が端部に向かって広がっている部分をいう。スリーブ３０の一端、即ちスリーブ３０が第一のテーパ部２２に装着されたときに一端２３側に配置される端部に拡径部３１を備えているため、図５（Ａ）で、金属線幹糸４１をスリーブ３０と連結具本体２０との間の間隙に差し込みやすくなる。拡径部３１をスリーブ３０の一端のみに設けているのは、スリーブ３０が連結具本体２０のテーパ部２２に装着されたときに細径部２１側に配置される端部に拡径部を設けると、この拡径部とテーパ部２２との間の間隙が広くなって、金属線幹糸４１を挟み込む力が弱くなり、全体として、スリーブ３０と第一のテーパ部２２とが金属線幹糸４１を挟持する力を弱める結果になるからである。なお、拡径部３１とは逆側のスリーブ３０の端部は、平面でなく、丸みを帯びるように構成されている。このように構成されているため、拡径部３１と逆側のスリーブ３０の端部と連結具本体２０との間隙に金属線幹糸４１を挿入する際の作業性が向上される。
拡径部３１は、スリーブ３０よりも太い不図示の金属製円柱体の先端を削って円錐形にしたものを鉛直に立て、その上にスリーブ３０を同軸状になるように載せて、上から金槌等で叩くことにより、形成される。
【００３３】
スリーブ３０の本体部３２の内径は、使用する連結具本体２０の最大径部２２ｂと略同径で、連結具本体２０の最大径部２２ｂが、本体部３２の内壁に接触しながらスリーブ３０の全長を通過可能な程度の太さからなる。但し、金属線幹糸４１として０．９ｍｍ以上の太い金属線を用いる場合は、本体部３２の内径は、最大径部２２ｂの径より大きく、かつ、最大径部２２ｂの径と金属線幹糸４０の径とを足した和より小さくなるよう構成される。
具体的には、本体部３２の内径は、魚の大きさや種類、釣り場の状況等に応じて、０．６〜１．４ｍｍ程度に設定される。
【００３４】
第二のテーパ部２４は、金属線ハリス４２が連結される領域であって、細径部２１側の最も細い最小径部２４ａと、他端２５側の最も太い最大径部２４ｂとの間の領域であり、最小径部２４ａから最大径部２４ｂに向かって一定の勾配で径が大きくなる斜辺が直線状のテーパに形成されている。
第二のテーパ部２４は、細径部２１を介して第一のテーパ部の逆側の端部である他端２５側に、第一のテーパ部２２と対称になるように、形成されている。第二のテーパ部２４及び第二のテーパ部２４への金属線ハリス４２の連結に用いられるスリーブ３０の構成は、第一のテーパ部２２及び第一のテーパ部２２で使用されるスリーブ３０の構成と同様であるため、説明を省略する。
【００３５】
本実施形態の連結具本体２０は、図３に示すように、直線状のまま使用してもよいし、図２、図５のように、細径部２１で折曲げて使用してもよい。直線状のまま使用した場合、金属線ハリス４２が金属線幹糸４１にからみにくく、長い金属線ハリス４２を用いた仕掛けに適している。一方、細径部２１で折曲げると、金属線ハリス４２の先端に接続された釣り針の位置が金属線幹糸４１から遠くなるため、短い金属線ハリス４２を用いた仕掛けに適している。
【００３６】
釣り針５０は、図２に示すように、釣り餌を付けるための先端側の針先部５１ａと、曲がり５１ｂと、後端５４側の針胴部５２とからなる。
針胴部５２は、断面が略円形になっており、後端５４に近い位置に、テーパ部５３を備えている。テーパ部５３は、曲がり５１ｂ側の最も細い最小径部５３ａと、後端５４側の最も太い最大径部５３ｂとの間の領域であり、最小径部５３ａから最大径部５３ｂに向かって一定の勾配で径が大きくなる斜辺が直線状のテーパに形成されている。テーパ部５３の構成は、連結具本体２０のテーパ部２２の構成と同様であるため、説明を省略する。
【００３７】
本実施形態の釣り用仕掛けＳを製作する手順について、図４、図５に基づき説明する。
まず、金属線ハリス４２に釣り針５０を連結する釣り針連結工程を行う。
この工程では、図４（Ａ）に示すように、スリーブ３０内に、釣り針５０を後端５４側から挿入する。このとき、釣り針５０は、最大径部５３ｂがスリーブ３０本体部３２の内壁に接触しながら挿入される。スリーブ３０を最小径部５３ａ又は最小径部５３ａよりも曲がり５１ｂ側の位置に配置する。このとき、スリーブ３０内壁と釣り針５０の軸との間には、金属線ハリス４２を挿入可能な隙間ができている。
次いで、図４（Ｂ）に示すように、スリーブ３０内壁と釣り針５０の軸との隙間に、金属線ハリス４２を先端４２ａ側から挿入し、金属線ハリス４２の先端４２ａをスリーブ３０よりも曲がり５１ｂ側に位置させる。このとき、図４（Ｂ）に示すように、金属線ハリス４２が、針胴部５２周囲の針先部５１ａ側に配置され、針胴部５２の軸と平行に伸びるようにする。つまり、金属線ハリス４０は、針胴部５２周囲の、釣り針５０が曲がり５１ｂから針先部５１ａに向かって湾曲する方向に、配置される。その後、勢いをつけて強い力で、スリーブ３０を釣り針５０の後端５４側に移動させる。これにより、金属線ハリス４２は、針胴部５２周囲の針先部５１ａ側に固定され、鉤振りが防止される。
また、金属線ハリス４０が、針胴部５２周囲の針先部５１ａ側に配置されるので、金属線ハリス４０を回転しないように幹糸に連結すれば、釣り針５０の針先部５１ａを仕掛け上方に向けて固定することが可能となる。
【００３８】
その後、金属線ハリス４２の先端４２ａ側がスリーブ３０から長く出ているようであれば、切除し、図４（Ｃ）の状態とする。以上で、釣り針連結工程が完了する。
金属線ハリス４２と釣り針５０とを連結したものは、分岐のない略直線状であるため、収納が容易である。従って、釣り針連結工程を釣り場に移動する前に行って、予め金属線ハリス４２と釣り針５０とを連結したものを必要数製作しておき、釣り場に持ち込み、以降の工程を釣り場で行うと好適である。
【００３９】
次いで、連結具本体２０に金属線幹糸４１を連結する幹糸連結工程を行う。図５の手順では、連結具本体２０を折曲げた場合について説明するが、図３に示すような直線状のものを用いた場合でも同様の手順で連結される。
この工程ではまず、スリーブ３０の拡径部３１が連結具本体２０の一端２３側になるように、スリーブ３０に、一端２３又は他端２５から連結具本体２０を挿入する。このとき、連結具本体２０は、最大径部２２ｂ又は最大径部２４ｂがスリーブ３０の本体部３２の内壁に接触しながら挿入される。その後、スリーブ３０を最小径部２２ａ、２４ａ又は細径部２１の周囲に配置する。このとき、スリーブ３０内壁と連結具本体２０の軸との間には、金属線幹糸４１を挿入可能な隙間ができている。
次いで、図５（Ａ）に示すように、スリーブ３０内壁と連結具本体２０の軸との隙間に、連結具本体２０の一端２３側、即ちスリーブ３０の拡径部３１側から、金属線幹糸４１を挿入し、金属線幹糸４１の適当な位置に連結具本体２０を配置する。その後、勢いをつけて強い力で、スリーブ３０を連結具本体２０の一端２３側に移動させる。これにより、金属線幹糸４１は、第一のテーパ部２２に固定される。
以上で、連結具本体２０と金属線幹糸４１との連結手順が完了する。
【００４０】
次いで、連結具本体２０に金属線ハリス４２を連結するハリス連結工程を行う。この工程ではまず、スリーブ３０の拡径部３１が連結具本体２０の他端２５側に配置されるように、スリーブ３０に、他端２５から連結具本体２０を挿入する。このとき、連結具本体２０は、最大径部２４ｂがスリーブ３０の本体部３２の内壁に接触しながら挿入される。その後、スリーブ３０を最小径部２４ａ又は細径部２１の周囲に配置する。このとき、スリーブ３０内壁と連結具本体２０の軸との間には、金属線ハリス４２を挿入可能な隙間ができている。
次いで、図５（Ｂ）に示すように、スリーブ３０内壁と連結具本体２０の軸との隙間に、連結具本体２０の他端２５側、即ちスリーブ３０の拡径部３１側から、金属線ハリス４２を挿入し、金属線ハリス４２の端部４２ｂを最小径部２４ａ付近に位置させる。その後、勢いをつけて強い力で、スリーブ３０を連結具本体２０の他端２５側に移動させる。これにより、金属線ハリス４２は、テーパ部２４に固定される。
【００４１】
その後、金属線ハリス４２の先端４２ｂ側がスリーブ３０から長く出ているようであれば、切除し、図２の状態とする。以上で、連結具本体２０と金属線ハリス４２との連結手順が完了する。
金属線幹糸４１及び金属線ハリス４２を用いた仕掛けの持ち運びは容易でないため、幹糸連結工程とハリス連結工程は、釣り場で行うと好適である。なお、幹糸連結工程を釣り場に移動前に行っておき、連結具本体２０が連結された金属線幹糸４１を釣り場に持ち込んで、釣り場でハリス連結工程のみ行ってもよい。
複数の金属線ハリス４２を備える仕掛けＳを製作する場合、幹糸連結工程を必要回数連続して行って必要数の連結具本体２０を適当な箇所に連結した後、各連結具本体２０にそれぞれ金属線ハリス４２を連結するハリス連結工程を同じ回数連続して行う。なお、幹糸連結工程とハリス連結工程とを交互に必要回数繰り返してもよい。
以上で、連結箇所が図２のように構成された図１の釣り用仕掛けＳが完成する。
【００４２】
なお、本実施形態の連結具本体２０は、第一のテーパ部２２と第二のテーパ部２４とを同じ形状、大きさに構成しているが、第一のテーパ部２２´の最大径部２２ｂ´の直径よりも第二のテーパ部２４´の最大径部２４ｂ´の直径が、０．０５〜０．１ｍｍ程度太くなるように構成した不図示の連結具本体２０´としてもよい。このとき、一対のスリーブ３０の本体部３２の内径は、細く形成された第一のテーパ部２２´の最大径部２２ｂ´と略同径に構成される。
このように構成された連結具本体２０´は、細い金属線ハリス４２を用いる場合や金属線ハリス４２の代わりに細い樹脂系釣り糸又は合成、天然繊維釣り糸を用いる場合に適している。
【００４３】
このように構成された連結具本体２０´を使用した場合は、幹糸連結工程の前にスリーブ配置工程を行う。
スリーブ配置工程では、まず、図３の連結具本体２０と同様に直線状の連結具本体２０´を用い、細く形成された第一のテーパ部２２´側の一端２３´より、拡径部３１が他端２５´側に配置されるように連結具本体２０´をスリーブ３０に挿入する。
【００４４】
次いで、連結具本体２０´を、細径部２１´で折曲げ、図６の状態とし、スリーブ配置工程を完了する。これにより、スリーブ３０は、最大径部２４ｂ´と細径部２１´の折曲げ部分に挟まれた範囲内に配置されてこの範囲内でのみ移動可能となる。つまり、第二のテーパ部２４´の最大径部２４ｂ´はスリーブ３０の本体部の内径より太く形成されているため、スリーブ３０は最大径部２４ｂ´に制限され、一端２３´及び他端２５´のいずれからも抜け落ちることがなくなる。
このスリーブ配置工程は、釣り場へ移動前に予め行っておくと、釣り場でのハリス連結工程を時間短縮でき、好適である。
連結具本体２０´のその他の構成及び連結具本体２０´を用いて釣り用仕掛けＳを製作するその他の手順は、連結具本体２０と同様であるため、説明を省略する。
【００４５】
また、本実施形態のスリーブ３０の代わりに、円筒体部材として、図７に示す溝付きのビーズ３４を用いてもよい。図７（Ａ）は、ビーズ３４の側面図、図７（Ｂ）は図７（Ａ）におけるＡ−Ａ断面図である。
ビーズ３４は、ＡＢＳ樹脂等の合成樹脂製からなり、図７に示すように、連通孔３４ａを備えた略リング状に形成されている。ビーズ３４の軸方向一端には、ビーズ３４と同軸の略円錐形に切欠かれ、内径がビーズ３４の一端に向かってロート状に広がった拡径部３４ｂが形成され、ビーズ３４の外側面には、一端から他端までビーズ３４の軸方向に伸びる溝部３４ｃが形成されている。
溝付きのビーズ３４を用いて金属線ハリス４２を連結具本体２０に連結する工程では、ビーズ３４を拡径部３４ｂが他端２５側に配置されるように配置する点を除いては、ハリス連結工程と同様であり、図８に示すように連結される。
図８は、連結具本体２０に非金属系幹糸４３を結束及び弾性チューブ３３により連結し、金属線ハリス４２をビーズ３４を用いて連結した状態を示す説明図であって、非金属系幹糸４３の連結部を一部断面図で示したものである。
【００４６】
ビーズ３４は、合成樹脂製であるため、金属線との間の摩擦抵抗が大きくなり、金属線がビーズ３４の内壁との間で滑りにくく、より強く金属線幹糸４１、金属線ハリス４２を保持可能である。また、ビーズ３４は、合成樹脂製であって、第一、第二のテーパ部２２、２４を締め付ける押圧力を得るためには厚みが必要であるため、スリーブ３０よりも壁部が厚く、全体として大きくなるが、幹糸とハリスとの連結部は魚の捕食位置と離れているため、捕食の妨げが少なく、厚みによるデメリットが少ない。更に、拡径部３４ｂが金属線ハリス４２を差し込む側に向かって広がっているため、金属線ハリス４２を差し込み易い。拡径部３４ｂが第二のテーパ部２４が広がるのと同方向に広がっているため、金属線ハリス４２に力がかかったときに、ビーズ３４の拡径部３４ｂ内壁と第二のテーパ部２４とが接触し、ビーズ３４と第二のテーパ部２４との間の連結力を増すことが可能となる。
【００４７】
溝部３４ｃは、ビーズ３４を捩りながら第二のテーパ部２４に固定するときに、指がビーズ３４の表面で滑ることを防止する滑り止め効果を有する。ビーズ３４を用いたハリス連結工程は、道具を使わず、付属行為を考慮に入れなければ一箇所あたり１分未満で、簡単に行うことができる。
ビーズ３４の材料としてＡＢＳ樹脂を用いることにより、ビーズ３４を、金属線ハリス４２を挟持して保持するのに適当な、多少の粘性、弾性と適度な硬さを備えるように構成でき、テーパ部２４周囲で移動しにくく、ハリス連結工程が簡単で、連結後も金属線ハリス４２が抜けにくくすることが可能となる。
【００４８】
また、本実施形態では、幹糸として金属線幹糸４１を用い、金属線幹糸４１をスリーブ３０により連結具本体２０に連結するが、樹脂系釣り糸、天然又は合成繊維釣り糸等の非金属系幹糸４３を用いる場合には、特許第３５４０２８４号の明細書記載の方法等の公知の方法により、第一のテーパ部２２に非金属系幹糸４３を直接結びつけてもよい。また、図８に示すように、第一のテーパ部２２に非金属系幹糸４３を直接結びつけ、結びつけた箇所を締め付けるように被覆する弾性チューブ３３を被装してもよい。
図８のように弾性チューブ３３を被装すると、釣り用仕掛けＳが絡みにくくなり好適である。また、弾性チューブ３３にカラーチューブを用いることにより、魚種によっては集魚効果も得られる。
なお、弾性チューブ３３を被装しない場合は、第一のテーパ部２２の最大径部２２ｂから一端２３までの長さを短く構成することにより、釣り用仕掛けＳの絡みを防止可能となる。
【００４９】
非金属系幹糸４３を第一のテーパ部２２に直接結びつける場合、釣り用仕掛けＳを製作する手順では、幹糸連結工程の代わりに、第一のテーパ部２２に特許３５４０２８４号の明細書記載の方法等の公知の方法により、非金属系幹糸４３を第一のテーパ部２２に直接結びつけ、必要に応じて弾性チューブ３３に連結具本体２０を一端２３側から挿入し、一端２３から細径部２１の折曲げた部分までの範囲を覆うように被装する工程を行う。
【００５０】
また、金属線幹糸４１及び金属線ハリス４２の代わりに、樹脂系釣り糸、天然又は合成繊維釣り糸等の非金属系幹糸４３及び非金属系ハリス４４を用いる場合、図９に示すように、スリーブ３０の代わりにビーズ３４を用いると好適である。
合成樹脂性のビーズ３４を用いるのは、非金属系の釣り糸を図２のように金属製の連結具本体２０と金属製のスリーブ３０の間に挟持して固定すると、１〜１．５ｋｇ程度の強い力がかかったときに釣り糸が平面状（うどん状）に潰れ連結具本体２０とスリーブ３０との間からすり抜けてしまうためである。なお、１ｋｇの魚は４０ｃｍ程度であるため、それよりも小さいカワハギ、白ギス、はぜなど小型魚には、図２のようにスリーブ３０を用いることもできる。
【００５１】
図９の連結具本体２０ａは、端部２３と最大径部２２ｂとの間の距離が長く形成され、端部２３からビーズ３４までの間を弾性チューブ３５で被装可能に構成されている。なお、端部２３と最大径部２２ｂとの間の距離が長く形成されていない連結具本体２０を用いてビーズ３４により非金属系幹糸４３を連結し、弾性チューブ３５を被装しないようにしてもよい。
端部２３からビーズ３４までの間を弾性チューブ３５で被装することにより、非金属系幹糸４３を連結具本体２０ａへより強く固定できる。
【００５２】
図９に示すように、非金属系幹糸４３を、ビーズ３４及び弾性チューブ３５を用いて連結具本体２０ａに連結する場合の幹糸連結工程では、まず、ビーズ３４の拡径部３４ｂが連結具本体２０ａの一端２３側に配置されるように、ビーズ３４に一端２３から連結具本体２０ａを挿入する。ビーズ３４を最小径部２２ａ又は細径部２１の周囲に配置する。
次いで、ビーズ３４の拡径部３４ｂと連結具本体２０ａの軸との隙間に、非金属系幹糸４３を挿入し、ビーズ３４の他端側まで通した後、非金属系幹糸４３におけるビーズ３４の最終的な位置にビーズ３４を位置決めする。再度ビーズ３４の拡径部３４ｂと連結具本体２０ａの軸との隙間に、非金属系幹糸４３を挿入する。これにより、ビーズ３４の壁の周囲を１周する非金属系幹糸４３の環が形成されるので、非金属系幹糸４３の拡径部３４ｂ側の端部を引っ張りながら、ビーズ３４の外側に露出している非金属系幹糸４３を溝部３４ｃに挿入させる。
【００５３】
なお、非金属系幹糸４３をビーズ３４の拡径部３４ｂと連結具本体２０ａの軸との隙間に挿入する手順を繰り返して、ビーズ３４の壁の周囲に２周以上捲回してもよいが、捲回する回数は１〜２回が好適である。
その後、勢いをつけて強い力で、ビーズ３４を連結具本体２０ａの一端２３側に移動させる。これにより、非金属系幹糸４３は、第一のテーパ部２２に固定される。
連結具本体２０ａを一端２３から弾性チューブ３５に挿入し、ビーズ３４の一端２３側端部から一端２３までの部分に弾性チューブ３５を被装する。
以上で、連結具本体２０ａと非金属系幹糸４３との連結手順が完了する。
【００５４】
図９に示すように、非金属系ハリス４４を、ビーズ３４を用いて連結具本体２０ａに連結する場合のハリス連結工程では、予め釣り針５０を連結しておいた非金属系ハリス４４を使用する。この非金属系ハリス４４は、作業の容易のため、釣り用仕掛けＳに必要なハリスの長さより７〜１０ｃｍ長く形成しておく。
ハリス連結工程では、まず、ビーズ３４の拡径部３４ｂが連結具本体２０ａの他端２５側になるように、ビーズ３４に、他端２５から連結具本体２０ａを挿入する。ビーズ３４を最小径部２４ａ又は細径部２１の周囲に配置する。
【００５５】
次いで、ビーズ３４の拡径部３４ｂと連結具本体２０ａの軸との隙間に、非金属系ハリス４４を端部４４ｂから挿入し、ビーズ３４の他端側まで通した後、最終的にハリスとして必要な長さを残す位置にビーズ３４を位置決めする。再度ビーズ３４の拡径部３４ｂと連結具本体２０ａの軸との隙間に、非金属系ハリス４４を端部４４ｂから挿入する。これにより、ビーズ３４の壁の周囲を１周する非金属系ハリス４４の環が形成されるので、非金属系ハリス４４の端部４４ｂを引っ張りながら、ビーズ３４の外側に露出している非金属系ハリス４４を溝部３４ｃに挿入させる。
なお、非金属系ハリス４４をビーズ３４の拡径部３４ｂと連結具本体２０ａの軸との隙間に挿入する手順を繰り返して、ビーズ３４の壁の周囲に２周以上捲回してもよいが、捲回する回数は１〜２回が好適である。
その後、勢いをつけて強い力で、ビーズ３４を連結具本体２０ａの他端２５側に移動させる。これにより、非金属系ハリス４４は、第二のテーパ部２４に固定される。非金属系ハリス４４の端部４４ｂを、ビーズ３４から１〜１．５ｃｍ程度残した位置で切り、連結具本体２０ａと非金属系ハリス４４との連結手順が完了する。
【００５６】
このように、非金属系幹糸４３、非金属系ハリス４４を、ビーズ３４の壁の周囲に捲回し溝部３４ｃで保持させながら、ビーズ３４と連結具本体２０ａとの間で挟持しているため、ビーズ３４及び非金属系幹糸４３、非金属系ハリス４４の連結具本体２０ａに沿った方向の移動が阻止され、連結具本体２０ａによる非金属系幹糸４３、非金属系ハリス４４の連結が可能となる。
また、非金属系幹糸４３をビーズ３４の壁の周囲に捲回した後、ビーズ３４と連結具本体２０ａとの間で非金属系幹糸４３を挟持して固定しており、非金属系幹糸４３を結んでいないため、釣り用仕掛けＳにおけるハリスの連結位置を自由に変更可能となる。
【００５７】
非金属系ハリス４４の端部４４ｂを、ビーズ３４から１〜１．５ｃｍ程度残した位置に配置しているため、非金属系ハリス４４の交換時、ビーズ３４から１〜１．５ｃｍ延出した端部４４ｂと連結具本体２０ａとを一緒に押さえ、ビーズ３４を最小径部２４ａ側に押すことにより、簡単にビーズ３４を最小径部２４ａ側に移動させて、非金属系ハリス４４を緩めることができ、非金属系ハリス４４を簡単に交換できる。なお、端部４４ｂは非金属系ハリス４４が絡みにくい位置にあり、絡みの原因にはならない。
【００５８】
また、図９では、ビーズ３４の周囲に非金属系ハリス４４を捲回して非金属系ハリス４４を連結具本体２０ａに連結しているが、図１０のように、予め非金属系ハリス４４の釣り針５０逆側の端部にビーズ３６を介して金属線４５を結びつけておき、金属線４５の端部をビーズ３４で連結具本体２０ａに連結するようにしてもよい。このように構成すると、非金属系ハリス４４をビーズ３４の周囲に捲回する必要がなく、釣り場で、非金属系ハリス４４を、金属線ハリス４２の場合と同様に、簡単に連結具本体２０ａに連結することができる。
ビーズ３６は、プラスチック製の略円筒体からなる公知のビーズである。
【００５９】
非金属系ハリス４４と金属線４５との連結では、まず、ビーズ３６に非金属系ハリス４４と金属線４５を一緒に通す。ビーズ３６に隣接した位置で金属線４５のみ二つ折りに折曲げ、二つ折りになった箇所の周囲に、公知の方法で非金属系ハリス４４を結びつけ、非金属系ハリス４４と金属線４５との連結を完了する。
二つ折りになった箇所は、ビーズ３６を挟んでいるため、ビーズ３６側が太く、ビーズ３６逆側が細くなったテーパ部のような機能を果たす。つまり、非金属系ハリス４４が引っ張られたときでも、引っ張られる方向にあるビーズ３６側が太くなっているため、非金属系ハリス４４がビーズ３６側に向けて徐々に太くなっている部分で係止される。
ビーズ３６には、非金属系ハリス４４と金属線４５が一緒に挿通されているため、非金属系ハリス４４と金属線４５とを連続した線上にのせることが可能となる。
【００６０】
図８、図９では、連結具本体２０とビーズ３４により金属線ハリス４２又は非金属系ハリス４４を連結しているが、図１１のように、ビーズ３４が一体に埋設されたイカ角５６を連結具本体２０に直接連結してもよい。ビーズ３４は、拡径部３４ｂが、針先５６ａ側、即ち連結具本体２０の逆側に位置するようイカ角５６に固定される。
連結時には、連結具本体２０とビーズ３４との間に不図示の金属線釣り糸を挟持させると、連結具本体２０とイカ角５６を強く固定できる。
図１１ではイカ角５６にビーズ３４が埋設されているが、擬似鉤（ルアー）、ミノー、イカリ等の他の釣り具にビーズ３４を埋設し、図１１と同様に連結具本体２０と連結するようにしてもよい。
【００６１】
また、上記実施形態の連結具本体２０の細径部２１の折り曲げた箇所から一端２３までを長く形成し、図１２の天秤６０を構成してもよい。
図１２の天秤６０は、中央に細径部６１、両端側に第一のテーパ部６２、第二のテーパ部６４を備えた略円柱棒状体からなり、細径部６１の折り曲げた箇所から一端６３までが長く形成されたことを除いては、図２、図３の連結具本体２０と同様の構成からなる。
天秤６０は、細径部６１で折り曲げられ、第一のテーパ部６４に、非金属系幹糸４３が図８と同様の方法で連結され、第二のテーパ部６４に金属線ハリス４２が連結されている。また、第一のテーパ部６２から延びる非金属系幹糸４３の先端に不図示の錘が連結されている。なお、第二のテーパ部６４に、金属線ハリス４２の代わりに、非金属系ハリス４４が連結されていてもよい。
このように構成しているので、天秤６０は、細径部６１の折り曲げた箇所から一端６３までの部分が竿となり、非金属系幹糸４３の下端に不図示の錘が連結されることで支点・力点・作用点ができ、金属線ハリス４２が第二のテーパ部６４に連結されることで梃子天秤として機能する。
【符号の説明】
【００６２】
Ｓ  釣り用仕掛け
１  道糸
２  幹糸
３  ハリス
５  釣り針
６  サルカン
７  錘
８  釣り竿
９  リール
１０  釣り糸連結具（連結具）
２０、２０´、２０ａ  連結具本体
２１、６１  細径部
２２、２２´、６２  第一のテーパ部
２２ａ、２４ａ  最小径部
２２ｂ、２４ｂ、２２ｂ´２４ｂ´  最大径部
２３、２３´、６３  一端
２４、２４´、６４  第二のテーパ部
２５、２５´  他端
３０  スリーブ
３１、３４ｂ  拡径部
３２  本体部
３３、３５  弾性チューブ
３４、３６  ビーズ
３４ａ  連通孔
３４ｃ  溝部
４０、４５  金属線
４１  金属線幹糸
４２  金属線ハリス
４２ａ  先端
４３  非金属系幹糸
４４  非金属系ハリス
４４ｂ  端部
５０  釣り針
５１ａ  針先部
５１ｂ  曲がり
５２  針胴部
５３  テーパ部
５３ａ  最小径部
５３ｂ  最大径部
５４  後端
５６  イカ角
６０  天秤
１０１  金属線
１０２、１０３  側辺
１０４  ハリス
１０５  挟み止め部
１０６  導入口
１０７  幹糸
１０８  環状取付け部
１０９  自動ハリス止部材
１１０  ビーズ
１１１  幹糸通し用立向き孔
１１２  結び目
１１３、１１４  結び玉
１１５  釣り針
【図１】
2011092132.tif 000003
【図２】
2011092132.tif 000004
【図３】
2011092132.tif 000005
【図４】
2011092132.tif 000006
【図５】
2011092132.tif 000007
【図６】
2011092132.tif 000008
【図７】
2011092132.tif 000009
【図８】
2011092132.tif 000010
【図９】
2011092132.tif 000011
【図１０】
2011092132.tif 000012
【図１１】
2011092132.tif 000013
【図１２】
2011092132.tif 000014
【図１３】
2011092132.tif 000015
【図１４】
2011092132.tif 000016